(57)【要約】【課題】  低温燃焼下でもダイオキシンを発生させることのない材料で形成された副葬品であって、縮みや変形等の経時的変化がほとんどなく、長期の保管に適した副葬品を提供する。【解決手段】  葬儀の際に故人やペットとともに棺内に収容される副葬品において、乳酸系生分解性樹脂に、セルロース系樹脂を添加した材料で形成した。前記セルロース系樹脂の添加量は、重量比で前記材料の３％以上１５％以下とするとよい。【特許請求の範囲】
【請求項１】
葬儀の際に故人やペットとともに棺内に収容される副葬品において、
乳酸系生分解性樹脂に、セルロース系樹脂を添加した材料で形成したことを特徴とする副葬品。
【請求項２】
前記セルロース系樹脂を添加量が、重量比で前記材料の３％以上１５％以下であることを特徴とする請求項１に記載の副葬品。
【請求項３】
前記セルロース系樹脂が、セルロースアセテート，セルロースニトレート、セルロースアセテートプチレートのいずれかであることを特徴とする請求項１又は２に記載の副葬品。
【請求項４】
前記副葬品が、眼鏡、ネックレス、数珠、杖又はその他の日用品を模ったものであることを特徴とする請求項１〜３のいずれかに記載の副葬品。
【請求項５】
葬儀業者の担当者が携行する携帯端末及び前記葬儀業者の端末と通信可能に接続された管理センターの端末と、前記管理センターに設けられ、副葬品の在庫状況や顧客管理、料金管理を行うための種々の情報が格納されたデータベースとを有し、
葬儀依頼が前記葬儀業者にあったときに、前記携帯端末を前記管理センターの端末に接続し、
前記管理センターの端末の指示により、前記担当者が副葬品の収棺を提案し、
副葬品の収棺について依頼者が了承したときに、前記依頼者から収集した前記副葬品に関する情報を前記携帯端末から前記管理センターの端末に送信し、
前記管理センターの端末が、前記データベースを検索して前記副葬品の在庫状況を検索し、この検索の結果及び在庫が存在する場合又は在庫が存在しない場合の指示を前記携帯端末に送信し、
前記在庫が存在する場合に、配送センターの端末に前記副葬品の配送を指示し、
前記在庫が存在しない場合には、製造業者の端末に前記副葬品に関する情報を送信して、前記副葬品の製造を依頼し、
前記製造業者が前記副葬品の製造を終えたときに、前記配送センターの端末に前記副葬品の配送を指示すること、
を特徴とする副葬品の受注システム。
【発明の詳細な説明】
【技術分野】
【０００１】
本発明は、人やペットの葬儀の際に、故人やペットとともに棺内に収容する副葬品及びこの副葬品の受注システムにかかり、特に、低温燃焼下でもダイオキシンを発生させることなく、かつ、寸法や形状等の品質の経時変化がほとんどなく、長期間の保管に適した材料で形成された副葬品及びこの副葬品を、依頼者の求めに応じて迅速に手配することのできる副葬品の受注システムに関する。
【背景技術】
【０００２】
葬儀においては、例えば、故人の遺徳を偲び、来世でも現世と同様の生活ができるようにとの願いを込めて、生前に故人の愛用していた品々を副葬品として棺内に納めることが、一般的に行われている。前記した副葬品としては、眼鏡、ゲートボールのクラブ、ゴルフのパター、数珠等がある。
しかしながら、近年では、火葬場から排出されるダイオキシンが問題となってきており、このダイオキシンの発生源の一つとして、上記した副葬品が挙げられている（例えば、非特許文献１参照）。
【非特許文献１】琉球新聞ニュース  ２０００年１０月１６日号（http://www.ryukyushimpo.co.jp/news01/2000/2000_10/001016ec.html参照）
【０００３】
ダイオキシンの発生は、１２００℃以上の高温で燃焼させることで発生しなくなることが知られているが、このような高温下では遺体が完全に灰になってしまい、遺骨も残らないという問題がある。
そこで、木製の副葬品が種々提案されている（例えば、特許文献１，２参照）。
【特許文献１】特開平５−４２１８５号公報
【特許文献２】特開平１０−３３６０３号公報
【０００４】
しかし、上記従来の公報に記載されたものでは、模型を木製で作成するため、眼鏡をこのような木製の模型としても、レンズ部分が透明にならず、いくら模型であるとしても眼鏡を副葬したという気持ちを得ることが難しいという不具合がある。また、木製であるため、１品ずつ削り出す必要があり、作製に工数を要し値段が高くなるという不具合がある。
このような問題点に鑑みて、ダイオキシンを発生させない生分解樹脂で形成した眼鏡型の副葬用が提案されている（特許文献３参照）。
【特許文献３】特開２００３−１８０７６７号公報
【０００５】
上記文献に記載された副葬品は、公知の乳酸系生分解性樹脂で成形されているものの、この種の生分解性樹脂は、経時的に製品に縮みや歪み（変形）が生じやすく、長期間の保存には適さないという問題がある。
そのため、将来の需要に備えて種々の副葬品を予め製造しておき、ストックしておくということができず、葬儀の予定が入ったときに、依頼者の要求に応じて、要求のあった副葬品を、射出成形等により製造しなければならないという問題がある。
【０００６】
また、葬儀の予定が入ってから故人を納棺するまでの時間が短い場合に、副葬品の依頼があってから副葬品を一から製作しているのでは、納棺に間に合わせることができないという問題がある。納棺の際には故人が愛用していた現物の品々を故人とともに納棺しておき、出棺の際に、これらの品々を副葬品と交換するということも考えられるが、このような交換作業は手間が生じるうえ、粛々と進行する葬儀の中でのこのような作業は、周囲に不快感を与えるという問題がある。
【０００７】
さらに、一度に多数の葬儀が行われる場合において、多数の副葬品の依頼があって場合に、製造業者の設備や生産能力の点からみて、需要者の要求に応えることができないという問題が生じる。近年は、社会の高齢化が急速に進展しているため、葬儀の数は今後ますます増加するものと予想されるが、このような受注生産では、このような問題が顕著化するのは必至である。
【０００８】
また、上記したように、一品ごとの受注生産では、故人の納棺に間に合わせることができず、納棺時には故人が愛用していた品々の現物を故人とともに棺内に納め、出棺の際に副葬品を取り替えるという作業が必要であるが、このような作業は煩雑で、副葬品の価格だけでなく、葬儀のコストも高くなるという問題があった。
【０００９】
本発明はこれらの問題点を一挙に解決するためになされたもので、低温燃焼下でもダイオキシンを発生させることのない材料で形成された副葬品であって、縮みや変形等の経時的変化がほとんどなく、長期の保管に適した副葬品の提供を第一の目的とする。また、この副葬品を用い、葬儀業者と副葬品の製造者との間でネットワークを確立して、葬儀を依頼する依頼者の要求に迅速に対応することができる副葬品の受注システムの提供を第二の目的とする。
【発明の開示】
【課題を解決するための手段】
【００１０】
上記第一の目的を達成するために、本発明の発明者が鋭意研究を行った結果、従来から生分解樹脂として知られ、透明で色付けや柄（模様）付けが容易で、低温焼却でもダイオキシンが発生しにくい乳酸系生分解樹脂に着眼し、この乳酸系生分解樹脂にセルロール系の樹脂を添加することで、経時変化を小さくすることができることを見出した。
具体的には、請求項１に記載するように、葬儀の際に故人やペットとともに棺内に収容される副葬品において、乳酸系生分解性樹脂に、セルロース系樹脂を添加した材料で形成したこと構成としてある。この場合、前記セルロース系樹脂を添加量が、重量比で前記材料の３％以上１５％以下とするとよい。
前記セルロース系樹脂の添加量が３％を下回ると、経時変化に対する効果が小さくなり、１５％を超えると、副葬品の強度が著しく劣化する。
セルロース系樹脂としては、セルロースアセテート，セルロースニトレート、セルロースアセテートプチレート等を用いることができる。
上記材料によって製作される副葬品としては、眼鏡、ネックレス、数珠、杖又はその他の日用品を模ったものが含まれる。
【００１１】
上記の副葬品を使った受注システムは、請求項５に記載するように、葬儀業者の担当者が携行する携帯端末及び前記葬儀業者の端末と通信可能に接続された管理センターの端末と、前記管理センターに設けられ、副葬品の在庫状況や顧客管理、料金管理を行うための種々の情報が格納されたデータベースとを有し、葬儀依頼が前記葬儀業者にあったときに、前記携帯端末を前記管理センターの端末に接続し、前記管理センターの端末の指示により、前記担当者が副葬品の収棺を提案し、副葬品の収棺について依頼者が了承したときに、前記依頼者から収集した前記副葬品に関する情報を前記携帯端末から前記管理センターの端末に送信し、前記管理センターの端末が、前記データベースを検索して前記副葬品の在庫状況を検索し、この検索の結果及び在庫が存在する場合又は在庫が存在しない場合の指示を前記携帯端末に送信し、前記在庫が存在する場合に、配送センターの端末に前記副葬品の配送を指示し、前記在庫が存在しない場合には、製造業者の端末に前記副葬品に関する情報を送信して、前記副葬品の製造を依頼し、前記製造業者が前記副葬品の製造を終えたときに、前記配送センターの端末に前記副葬品の配送を指示する構成としてある。
【００１２】
本発明の受注システムによれば、葬儀の依頼があったときに、葬儀業者が担当者が葬儀を依頼した依頼者に副葬品の納棺を提案する。依頼者がこの提案に応じ、所定の副葬品を指定すると、この副葬品に関する情報、例えば、副葬品の種類、大きさ、柄、数量等は、担当者が携行する携帯端末から管理センターの端末に送信される。
管理センターの端末は、データベースの検索を行って、依頼のあった副葬品の在庫状況を調べる。在庫がある場合は、すぐに発送が可能であることを、携帯端末を通して前記担当者に報告する。また、在庫の副葬品をただちに葬儀場に配送するように、配送センターに指示する。在庫がない場合にも、この旨を前記担当者に報告する。在庫が無い場合でも依頼者が副葬品の納棺を希望するときは、製造業者の端末に依頼のあった副葬品の情報を送信し、ただちに製作するように指示する。製造業者は、副葬品の製作を行い、配送センターに配送を依頼する。
【発明の効果】
【００１３】
本発明によれば、縮みや変形等の経時的変化のほとんどない副葬品を得ることができるので、予め需要予測を行って副葬品を製作しておき、長期にわたって倉庫等に保管しておくことができる。そのため、在庫のある副葬品については、受注してからただちに葬儀場まで配送して、納棺することができる。
また、葬儀業者と副葬品の製造者との間でネットワークを確立することができるので、副葬品の依頼があったときに、ただちに指定の製造業者を特定し、副葬品を発注して、製作に取りかからせることができる。そのため、たとえ依頼のあった副葬品の在庫がなくても、葬儀場に近い製造業者に副葬品を製作させることで、迅速に対応することが可能になる。
【発明を実施するための最良の形態】
【００１４】
以下、本発明の好適な一実施形態を詳細に説明する。
本発明に用いられる副葬品には、故人とともに納棺することのできるあらゆる品物が含まれ、例えば、帽子、杖、書籍、数珠、おもちゃ、茶碗等、故人が生前に愛用した日用品を模ったもの、眼鏡、時計、ネックレス、イヤリング等の各種アクセサリーを模ったもの、ゲートボールの杖やボール、ゴルフパター、野球のバット等の趣味にかかわる道具を模ったものが含まれる。ペットの葬儀の場合には、愛用していたおもちゃや首輪などを模ったものが含まれる。
【００１５】
上記の副葬品は、所定の樹脂材料を、射出成形機で金型に射出したり、押し出し成形で金型から押し出したりすることで成形することができる。
上記の副製品を成形するための材料としては、乳酸系生分解性樹脂に、セルロース系の添加剤を混合したものを用いることができる。乳酸系生分解性樹脂は、無色透明であり、レンズやガラス様のものも成形することができ、色素を加えることで種々に色付けができる点で有利である。
【００１６】
乳酸系生分解性樹脂としては、例えば、「ラクティ」（登録商標、株式会社島津製作所製）を用いることができる。
セルロール系の添加剤としては、セルロースアセテート，セルロースニトレート、セルロースアセテートプチレートなどを用いることができる。
そして、ポリ乳酸系生分解性樹脂にセルロール系の添加剤を３％〜１５％の重量比で混合し、約２００℃で溶融して射出成形する。
副葬品の色付けは、ポリ乳酸系生分解性樹脂に色素を混合して行ってもよいし、成形後に塗装によって行ってもよい。また、柄（模様）付けは、８０℃以下での真空転写で行ってもよいし、塗装によって行ってもよい。
【００１７】
上記の副葬品を用いた副葬品の受注システムを、図１及び図２を参照しながら説明する。
図１は、本発明の受注システムの一実施形態にかかり、そのブロック図である。
図１に示すように、葬儀を行う葬祭場１に出向く葬儀業者の担当者は、携帯端末１１を携行する。なお、この実施形態で「葬祭場」とは、葬儀が行われる場を意味し、公共や民営の施設に限らず、故人の自宅や寺院等も含まれるものとする。また、携帯端末１１としては、パソコンやモバイル等であってもよいが、持ち運びに便利で、副葬品１２の写真を送信することのできるカメラ付き携帯電話が便利である。
副葬品の手配や、葬儀業者と配送センターとの間の連絡は、管理センター２が行う。この管理センター２は、葬儀業者が運営してもよいし、葬儀業者や配送センターとは別個の運営であってもよい。
【００１８】
この実施形態では、福井県や北陸地区といった比較的広範な地域の複数の葬儀業者が共通の管理センター２を運営するものとして説明する。
管理センター２には、葬祭場１にいる担当者の携帯端末１１と通信が可能な端末２１と、副葬品の在庫状況をその種類ごとに記憶する副葬品在庫ＤＢ２２ａ、葬儀業者ごとに過去の副葬品の出荷状況を記憶する管理ＤＢ２２ｂ等を有するデータベース２２が設けられている。
なお、この実施形態において「端末」は、通信機能を備えたパソコンであるとして説明する。
【００１９】
配送センター３には、管理センター２の端末２１と通信が可能な端末（パソコン）３１が設けられていて、管理センター２の指示に従って、副葬品１２を葬儀場１まで配送する。この配送センター３の役割は、管理センター２に属する葬儀業者の個々が負担してもよいが、宅配業者等の専門の業者が負担するものとしてもよい。また、状況に応じて、宅配業者と葬儀業者が適宜に負担してもよい。
この実施形態では、次に説明する倉庫５との位置関係から、状況に応じて、宅配業者と葬儀業者が適宜に負担するものとする。
【００２０】
各種の副葬品は、倉庫５に保管される。この倉庫５は、例えば、同じ地区に属する複数の葬儀業者について一つ設けるとよい。配送センター３の配送車４は、管理センター２の指示に従って、指定された倉庫５に保管されている副葬品を搬出し、葬祭場１まで配送する。
図１においてルートＩは、管理センター２から指定された倉庫５に、配送車４が在庫の副葬品１２を取りに行くルートを指し、ルートIIは、配送車４が倉庫５から葬祭場１に副葬品１２を配送するルートを指す。また、ルートIIIは、在庫のあった副葬品１２に柄付けや色付けを行う必要がある場合に、配送車４が倉庫５から以下に説明する製造業者６に副葬品１２を配送するルートを指している。
なお、指定された倉庫５が所定距離以上離れた遠方にある場合には、管理センター２の判断で、副葬品１２の配送を宅配業者に依頼することも可能である。
【００２１】
管理センター２の指示に従って副葬品１２の製作や色付け、柄付け等の加工を行う製造業者６には、管理センター２の端末２１及び配送センター３の端末３１との間で通信が可能な端末６１が設けられている。
製作指示、色付け指示、柄付け指示のあった副葬品の配送指示は、製造業者６から、端末６１を介して、管理センター２に指定された配送センター３の端末３１に対して行う。管理センター２の端末２１が、日時を指定して、所定の配送センター３の端末３１に配送を指示するようにしてもよい。
【００２２】
図２は、上記構成のシステムのおける副葬品受注の手順を説明するフローチャートである。
葬儀業者の担当者が副葬品の納棺を依頼者に提案し、依頼者が承諾をすると、前記担当者は携帯端末１１を管理センター２の端末２１に接続し（ステップＳ１）、副葬品１２に関する情報を端末２１に送信する（ステップＳ２）。副葬品１２の情報としては、種類、形状、大きさ、色、柄等が含まれる。担当者が予め副葬品１２が掲載されたカタログやパンフレットを持参し、依頼者に希望の副葬品を選択させるようにしてもよい。また、携帯端末１１に備えられているカメラを使って、故人が使っていた品物を撮影し、管理センター２が種類、形状、大きさ、色、柄等を判断するようにしてもよい。
【００２３】
携帯端末１１から副葬品１２に関する情報を受け取った管理センター２の端末２１は、携帯端末１１の電話番号やＩＰアドレス等の識別情報に基づいて、管理ＤＢ２２ｂの検索を行い、当該携帯端末１１がどの葬儀業者に属するものなのかを判断する（ステップＳ３）。また、副葬品１２に関する情報に基づいて、副葬品在庫ＤＢ２２ａの検索を行って（ステップＳ４）、種類、形状、大きさ、色、柄等が一致又は類似する副葬品の在庫があるかどうかを調査する（ステップＳ５）。
その結果、近隣の倉庫５に在庫があれば、その結果を担当者の携帯端末１１に送信する（ステップＳ６）。在庫が無い場合又は在庫があっても、その倉庫５が遠方で、すぐには配送できない場合には、その旨を担当者の携帯端末１１に送信する（ステップＳ７）。
【００２４】
在庫が無い場合は、担当者が依頼者に検索結果を提示して副葬品の納棺の意思があるかどうかを問い合わせ（ステップＳ１４）、中止する場合は処理を完了する。継続を希望する場合は、副葬品について在庫があるものに変更するか、変更しないかを問い合わせる（ステップＳ１５）。
依頼者が、在庫があるものに変更を希望する場合は、以下に説明するステップＳ８以下の処理を行う。変更をしない場合は、その旨を管理センター２の端末２１に送信する。これを受信した管理センター２の端末２は、当該携帯端末１１が所属する葬儀業者の近隣の製造業者６を、管理ＤＢ２２ｂの検索によって割り出し、当該製造業者６の端末６１に対して、副葬品１２に関する情報を転送して、製造指示を行う（ステップＳ１６）。
【００２５】
また、製造業者６は、配送センター３の端末３１に対して、時間と場所を指定して、製作した副葬品１２の配送指示を行う（ステップＳ１７）。この配送指示は、製造業者６の製造計画に基づき、管理センター２の端末２１が行ってもよい。
なお、在庫はあるものの、倉庫５が遠方にある場合であって、製造業者６に指示して製造をするよりも、倉庫５から配送した方が早いと判断した場合は、管理センター２の端末２１が配送センター３の端末３１に対して、倉庫５の場所を指定して配送するように指示をしてもよい（ステップＳ１７）。
【００２６】
ステップＳ５で副葬品１２の在庫が近隣の倉庫５にあると判断した場合は、管理センター２が柄付けや色付けを行う必要があるかどうかを判断し（ステップＳ８）、柄付けや色つけを行う必要が無い場合は、配送センター３の端末３１に対して配送指示を行う（ステップＳ９）。これにより、倉庫５から指定された副葬品１２が、配送車４によって葬祭場１に配送される。
【００２７】
また、ステップＳ８で柄付けや色付けを行う必要があると判断された場合は、当該携帯端末１１が所属する葬儀業者の近隣の製造業者６を、管理ＤＢ２２ｂの検索によって割り出し、配送センター３の端末３１に対して、倉庫５から製造業者６への配送指示を行い（ステップＳ１０）、当該製造業者６の端末６１に対して、副葬品１２の色や柄に関する情報を送信して、色付けや柄付けの指示を行う（ステップＳ１１）。また、色付け。柄付けを終えた副葬品１２についての配送指示を、配送センター３の端末３１に対して行う（ステップＳ１２）。これにより、所定の色や柄が付された副葬品１２が、配送車４によって葬祭場１に配送される。
【００２８】
以上の手順が終了した後、管理センター２の端末は、当該葬儀業者について、配送した副葬品１２の料金、色付け、柄付けの料金等を計算し（ステップＳ１３）、管理ＤＢ２２ｂの更新を行う。料金の請求は、その都度行ってもよいし、定期的に行ってもよい。
【００２９】
本発明の好適な実施形態について説明したが、本発明は上記の実施形態により何ら限定されるものではない。
例えば、上記の説明では、端末２１，３１，６１としてパソコンを例に挙げて説明したが、相互間で連絡が可能であれば、電話やＦＡＸ等の通信手段であってもよい。また、通信手段としてインターネットを利用し、管理センター２のサイト（サーバ）にアクセスすることで、指示や情報をやりとりするものとしてもよい。
【産業上の利用可能性】
【００３０】
本発明は、人間の葬儀に限らず、ペットの葬儀にも適用が可能である。この場合は、ペットが愛用していたおもちゃや首輪を模ったものを、副葬品とするとよい。
【図面の簡単な説明】
【００３１】
【図１】本発明の受注システムの一実施形態にかかり、そのブロック図である。
【図２】上記構成のシステムのおける副葬品受注の手順を説明するフローチャートである。
【符号の説明】
【００３２】
１  葬祭場
１１  携帯端末
１２  副葬品
２  管理センター
２１  端末
２２  データベース
３  配送センター
３１  端末
４  配送車
５  倉庫
６  製造業者
６１  端末
【図１】
2005192875.tif 000002
【図２】
2005192875.tif 000003